(57)【要約】【課題】ベッドに被装させて用いる枕保持具であって、枕保持具本体、枕収納部、小物収納部を備え、枕収納部、及び、小物収納部を枕保持具本体に縫合して袋状に形成したことで、ベッドを背上げさせても、枕や小物が、所定位置からずれたり、ベッドからずれ落ちることを確実に防止することができる枕保持具を提供することを目的とする。【解決手段】リクライニング式ベッドに被装されるとともに、枕を保持する枕保持具であって、矩形状に形成された枕保持具本体と、該枕保持具の下部側に矩形状に形成された枕収納部と、前記枕保持具本体の四隅端部に、それぞれ一端部が縫合された複数の連結紐と、を備え、前記枕収納部は、左右端縁部及び下端縁部が、前記枕保持具本体に縫合され、上端縁部に開口部を有する袋状に形成されていることを特徴とする。【選択図】  図１
0003203504.tif 000002
【実用新案登録請求の範囲】
【請求項１】
リクライニング式ベッドに被装されるとともに、枕を保持する枕保持具であって、
矩形状に形成された枕保持具本体と、
該枕保持具の下部側に矩形状に形成された枕収納部と、
前記枕保持具本体の四隅端部に、それぞれ一端部が縫合された複数の連結紐と、
を備え、
前記枕収納部は、左右端縁部及び下端縁部が、前記枕保持具本体に縫合され、上端縁部に開口部を有する袋状に形成されている
ことを特徴とする枕保持具。
【請求項２】
前記枕収納部の両側に複数の小物収納部を備え、
該小物収納部は、左右端縁部及び下端縁部が、前記枕保持具本体に縫合され、上端縁部に開口部を有する袋状に形成されている
ことを特徴とする請求項１に記載の枕保持具。
【請求項３】
前記複数の小物収納部の深さは、前記枕収納部の深さよりも浅く形成されている
ことを特徴とする請求項２に記載の枕保持具。
【請求項４】
前記複数の小物収納部のうち、少なくとも一つの小物収納部の深さが、他の小物収納部の深さと異なる深さに形成されている
ことを特徴とする請求項２又は請求項３に記載の枕保持具。
【請求項５】
前記枕保持具本体は、該枕保持具本体の略中央部を境界にして、下側に前記枕収納部が縫合されたベース部と、上側に折り返し部とを有して形成され、
前記枕保持具が前記リクライニング式ベッドに被装された状態において、
前記ベース部は、前記リクライニング式ベッド上部の表面に被装され、
前記折り返し部は、前記リクライニング式ベッド上部の裏面に被装され、
前記複数の連結紐の対応する連結紐同士が結合されて前記リクライニング式ベッドに固定されている
ことを特徴とする請求項１乃至請求項４のいずれか１項に記載の枕保持具。
【考案の詳細な説明】
【技術分野】
【０００１】
本考案は、リクライニング式ベッドに被装されるとともに、枕を保持して、背上げ時の枕のベッドからの位置ずれ、ずれ落ち等を防止することができる枕保持具に関するものである。
【背景技術】
【０００２】
従来、病院、介護施設、あるいは個人宅等において、病気、怪我、高齢等の理由で身体を自由に動かすことが困難な入院患者、施設入居者、自宅療養者等のために、リクライニング式ベッド（「背上げベッド」ともいう。）が広く利用されている。リクライニング式ベッドの基本的な構造・機能は周知であり、基体となるフレームの上に床板が設けられ、利用者の上半身部（背部）に対応する床板の一部分が、所定の角度に背上げ可能に構成されているものが一般的である。また、利用者の上半身部（背部）の背上げに加え、下半身部（脚部）対応する床板の部分が、膝上げ可能に構成されているものもある。床板の上には、マットレスが設けられ、マットレスはシーツで被装され、その上に、毛布・布団等が敷かれている。床板、あるいは、マットレスの上に敷布団を敷く場合もある。近年では、個人宅用に、フレームや床板をなくして、マットレスの内部に背上げ機構を設けたものもある。なお、本考案では、リクライニング式ベッドの利用者であって、上述したような理由で身体を自由に動かすことが困難な入院患者・施設入居者・自宅療養者等を総称して、「利用者」という。
【０００３】
リクライニング式ベッドは、利用者が仰臥しているときは、一般的な非リクライニング式のベッドと同様に、床板は平坦な状態に制御されているが、利用者が、投薬、食事、あるいは、リクライニング式ベッドからの移動等のために、上半身を起き上がらせる必要があるときは、利用者の上半身に対応するリクライニング式ベッドの床板の一部分を、利用者自信、あるいは、看護師や介助・介護者等がリモコンを操作して背上げさせることで、あるいは、看護師や介助・介護者等が手動で背上げさせることで、利用者の上半身も起き上がることができるようになっている。
なお、以下、特に断らないかぎりは、「ベッド」という用語は、「リクライニング式ベッド」を意味するものとする。
【０００４】
ここで、利用者は、通常、ベッドに寝ているときは、枕を使用し、また、ベッド上の枕元には、ベッドやテレビ等のリモコン、ポケットティッシュ、眼鏡、書籍等のいわゆる「小物」を、保持させることなく、単に載置していることが多い。ところが、上半身を起き上がらせようとして、ベッドを背上げさせると、床板に連動してマットレスが上方に傾動するので、載置されていた枕や小物は、ベッドの所定位置から下方にずれたり、ベッドからずれ落ちてしまうことがある。本考案における利用者は、前述したように、第一に身体を自由に動かすことが困難な者を想定しているので、この利用者は、枕や小物がベッドの所定位置からずれると、元の位置に戻すことが困難であり、まして、枕や小物がベッドからずれ落ちてしまうと、自力で拾い上げることは無理である。看護師、介助・介護者が、ベッドを背上げさせる前に、枕や小物を別の場所に移動させておけばよいが、そうすると看護師や介助・介護者の負担が増えるし、また、看護師や介助・介護者が、常に利用者のそばに居るということも難しい。
【０００５】
そこで、ベッドを利用して、ベッドを背上げさせたときに、枕や小物等が、ベッドの所定位置からずれたり、ベッドからずれ落ちすることを防ぐために、ベッドに着脱可能で、枕や小物を保持することができる枕保持用の手段が提案されている。
【０００６】
例えば、下記特許文献１には、「リクライニング式のベッドで使用者の上半身を起こしたときに枕がずれ下がるのを防止するための枕保持具において、ベッドの頭側端部に配置される屈曲自在の屈曲部と、この屈曲部の一端側に形成した枕を収容するための枕収容部と、前記屈曲部の他端側に形成した錘となる重量物を装着するための錘装着部とを有し、前記枕収容部は、可撓性を有する一枚のシートの一端を折返すとともに折返片の先端部をシートに縫合して筒状に形成し、一方、前記錘装着部は、前記シートの他端を折返すとともに折返片の両側端部をシートに縫合してポケット状に形成したことを特徴とする枕保持具」（「請求項１」参照。）が記載されている。
【０００７】
また、下記特許文献２には、「枕を支持できる敷布団カバーであって、リクライニングベッドの、少なくとも背もたれ部分上のベッドマット及び敷布団を、又は少なくとも前記背もたれ部分上の前記敷布団を包むように取り付けられ、前記枕が出し入れ可能であって収納された場合には前記背もたれ部分が起きた状態でもずり落ちないように前記枕を支持できるような枕収納部を形成する形成部材を固定手段により取り付け取り外し可能とすると共に前記形成部材に使用者の頭部を冷却するための冷却枕を収納して支持できる冷却枕支持用収納部を形成したことを特徴とする枕を支持できる敷布団カバー」（「請求項１」参照。）が記載されている。
【先行技術文献】
【特許文献】
【０００８】
【特許文献１】特許第４７７８９３３号
【特許文献２】特許第５７１７８１２号
【考案の概要】
【考案が解決しようとする課題】
【０００９】
しかしながら、特許文献１に記載の「枕保持具」は、具体的な構成（段落「００１７」〜「００３２」、図１〜図３参照。）において、「枕収容部４」が、「枕３」を「ベッド２０」の左右側のいずれかから挿入して収容する構成、あるいは、「内部に枕３・・・を固定的に収容」する構成であるため、前者の場合は、「ベッド２０」を背上げした際に「枕収容部１」の左右の開口部から「枕３」が離脱する虞があり、後者の場合は、「枕３」の取り替えが容易でないという問題がある。また、「ベッド２０」を背上げした際には、「錘装着部６」に錘として入れておく「書籍や洗面用具」等の「小物」が、「屈曲部２」の下方、つまり、利用者にとって非常に取りづらい「ベッド２０」の裏側の位置にある、という問題がある。
【００１０】
また、特許文献２に記載の「敷布団カバー本体１」は、「物入れ用ポケットＰ」が「枕収納部」の隣接位置にあるので、前述の特許文献１の「小物」が利用者に取りづらい位置にあるという問題点は解消されているものの、「枕１１」の「枕収納部」への収納・取り出しは、「リクライニングベッドＲＢ」の左右側から行う構成であるため、上記特許文献１と同様に、「リクライニングベッドＲＢ」を背上げした際に「枕収納部」の左右の開口部から枕が離脱する虞があるという問題がある。なお、特許文献１に記載の「枕収容部１」、及び、特許文献２に記載の「敷布団カバー本体１」は、左右に開口部を有しているので、そもそも、背上げ時でなくても、左右側からの何らかの接触で枕が離脱し易い構造である。
【００１１】
また、特許文献２に記載の「敷布団カバー本体１」には、１２個所に「固定紐１２〜１５，５Ａ，５Ｂ，６Ａ，６Ｂ，７Ａ，７Ｂ，８Ａ，８Ｂ」が取り付けられており、「敷布団カバー本体１」を「敷布団３」に着脱する際に、対応する６対の「固定紐」を結んだり、解いたりする必要があり、この作業を行う看護師や介助・介護者にとっては、負担が大きいという問題がある。
【００１２】
そこで、本考案は、ベッドに被装させて用いる枕保持具であって、枕保持具本体、枕収納部、小物収納部を備え、枕収納部、及び、小物収納部を枕保持具本体に縫合して袋状に形成したことで、ベッドを背上げさせても、枕や小物が、所定位置からずれたり、ベッドからずれ落ちることを確実に防止することができる枕保持具を提供することを目的とする。
【００１３】
また、本考案は、枕収納部の深さよりも浅く、小物の収納・取り出しに安全な深さを有する小物収納部を備えた枕保持具を提供することを目的とする。
【課題を解決するための手段】
【００１４】
上記の目的を達成するため、請求項１に記載の考案は、リクライニング式ベッドに被装されるとともに、枕を保持する枕保持具であって、矩形状に形成された枕保持具本体と、該枕保持具の下部側に矩形状に形成された枕収納部と、前記枕保持具本体の四隅端部に、それぞれ一端部が縫合された複数の連結紐と、を備え、前記枕収納部は、左右端縁部及び下端縁部が、前記枕保持具本体に縫合され、上端縁部に開口部を有する袋状に形成されていることを特徴とする。
【００１５】
また、請求項２記載の考案は、請求項１に記載の枕保持具であって、前記枕収納部の両側に複数の小物収納部を備え、該小物収納部は、左右端縁部及び下端縁部が、前記枕保持具本体に縫合され、上端縁部に開口部を有する袋状に形成されていることを特徴とする。
ことを特徴とする。
【００１６】
また、請求項３に記載の考案は、請求項２に記載の枕保持具であって、前記複数の小物収納部の深さは、前記枕収納部の深さよりも浅く形成されていることを特徴とする。
ことを特徴とする。
【００１７】
また、請求項４に記載に記載の考案は、請求項２又は請求項３に記載の枕保持具であって、前記複数の小物収納部のうち、少なくとも一つの小物収納部の深さが、他の小物収納部の深さと異なる深さに形成されていることを特徴とする。
【００１８】
また、請求項５に記載の考案は、請求項１乃至請求項４のいずれか１項に記載の枕保持具であって、前記枕保持具本体は、該枕保持具本体の略中央部を境界にして、下側に前記枕収納部が縫合されたベース部と、上側に折り返し部とを有して形成され、前記枕保持具が前記リクライニング式ベッドに被装された状態において、前記ベース部は、前記リクライニング式ベッド上部の表面に被装され、前記折り返し部は、前記リクライニング式ベッド上部の裏面に被装され、前記複数の連結紐の対応する連結紐同士が結合されて前記リクライニング式ベッドに固定されていることを特徴とする。
【考案の効果】
【００１９】
本考案の枕保持具によれば、枕や小物を利用者の頭側から着脱できるように、枕収納部と小物収納部とを枕保持具本体に袋状に縫合して形成した枕保持具をリクライニング式ベッドに用いることで、リクライニング式ベッドを背上げさせても、枕や小物が、ベッドの所定位置からずれたり、ベッドからずれ落ちることを確実に防止することができ、特に身体を自由に動かすことが困難な利用者にとって、非常に役に立つという効果を奏する。また、看護師、介助・介護者の負担も軽減されるという効果を奏する。
【００２０】
また、本考案の枕保持具によれば、枕収納部の深さは、枕のサイズに適合するように形成し、小物収納部の深さは、小物のサイズに適合するように枕収納部の深さよりも浅く形成することで、利用者が小物の収納・取り出しのために収納部に挿入した手が抜けなくなるような危険を防止するという効果を奏する。
【００２１】
また、本考案の枕保持具によれば、枕収納部と枕保持具本体とを縫合し、かつ、小物収納部と枕保持具本体とを縫合して、枕保持具を形成することで、例えば、面ファスナーのように利用者の意図に反して枕収納部、小物収納部が枕保持具本体から外れるというような危険性を防止するという効果を奏する。
【図面の簡単な説明】
【００２２】
【図１】本考案の実施形態における枕保持具の平面図である。
【図２】本考案の実施形態における枕保持具を枕等の挿入方向からみた斜視図である。
【図３】本考案の実施形態における枕保持具をベッドに装着する様子を示す図である。
【図４】本考案の実施形態における枕保持具を装着したベッドを背上げさせた状態を示す図である。
【図５】枕収納部と枕保持具本体との縫合の状態を示す図１の要部拡大図である。
【図６】枕収納部及び小物収納部と、枕保持具本体との縫合の状態を示す図１の要部拡大図である。
【考案を実施するための形態】
【００２３】
以下、好適な実施形態を用いて本考案をさらに具体的に説明する。但し、下記の実施形態は本考案を具現化した例に過ぎず、本考案はこれに限定されるものではない。
【００２４】
本考案の実施形態における枕保持具について、図１〜図６を参照しながら説明する。
本考案の実施形態の枕保持具１は、図１及び図２に示すように、枕保持具本体２と、収納部３と、連結手段４を備えている。本実施形態の枕保持具１を構成する部品は、吸水性と柔軟性を有する木綿等の天然繊維、あるいは、合成繊維を素材とする布生地を加工して所定サイズに形成されており、それぞれの部品は、縫合により接続されている。
【００２５】
枕保持具本体２は、使用するベッドのサイズに合わせて、矩形状に形成され、枕保持具本体２の略中央部の二点鎖線で示す屈曲部２ｃを境にして、略下側半分にベース部２ａ、略上半分側に折り返し部２ｂが設けられている。枕保持具１が、ベッドに被装された際に、ベース部２ａは、ベッド上部の表面側に被装され、折り返し部２ｂは、屈曲部２ｃ近傍を境にして、ベッド上部の裏面側に折り返されて被装されるように構成されている。なお、ベース部２ａの領域、折り返し部２ｂの領域、屈曲部２ｃの位置は、固定されたものではなく、ベッドの厚みに応じて適宜調節される。
【００２６】
ベース部２ａには、枕収納部３ａと、小物収納部３ｂ，３ｃから構成された収納部３が形成されている。小物収納部３ｂ，３ｃは、枕収納部３ａを挟んで、ベース部２ａの両側に形成されている。枕収納部３ａは、所定サイズに加工された矩形状の布生地の左右端縁部と下端縁部の３つの端縁部が、ベース部２ａ（枕保持具本体２）と縫合されている。小物収納部３ｂ，３ｃは、それぞれ、枕収納部３ａと異なる所定サイズに加工された矩形状の布生地の左右端縁部と下端縁部の３つの端縁部が、ベース部２ａと縫合されている。小物収納部３ｂの右端縁部は、枕収納部３ａの左端縁部に重合されて縫合されている。小物収納部３ｃの左端縁部は、枕収納部３ａの右端縁部に重合されて縫合されている。枕収納部３ａの下端縁、小物収納部３ｂ，３ｃの下端縁は、ベース部２ａの下端縁に一致するように構成され、小物収納部３ｂの左端縁はベース部２ａの左端縁に一致し、小物収納部３ｃの右端縁は、ベース部２ａの右端縁に一致するように構成されている。収納部３ａの上端縁部と、小物収納部３ｂ，３ｃの上端縁部は、ベース部２ａと縫合されず、開口されている。
【００２７】
このように、枕収納部３ａと、小物収納部３ｂ，３ｃとを、それぞれ、上端縁部のみ開口された袋形状（ポケット形状ともいう。）の構成にすることにより、図２の白抜矢印で示す利用者の頭部方向から、枕を枕収納部３ａに挿入して収納することができ、また、利用者の頭部方向から、リモコン、ポケットティッシュ、眼鏡、書籍等の小物を小物収納部３ｂ，３ｃに挿入して収納することができる。収納された枕、小物等は、十分に保持されているので、ベッドを背上げしても、位置ずれしたり、ベッドからずれ落ちる虞はない。
【００２８】
また、本実施形態においては、図１に示すように、枕収納部３ａの深さｄ１と、小物収納部３ｂ，３ｃの深さｄ２，ｄ３とは、それぞれ、収納物の大きさに応じて、異なる深さに形成されている。具体的には、枕収納部３ａの深ｄ１さは、収納された枕が十分に保持されて離脱しない程度の深さであり、これに対し、小物収納部３ｂ、３ｃには、ベッド・テレビ等のリモコン、ポケットティッシュ、眼鏡等、サイズの小さないわゆる小物類が収納されるので、枕収納部３ａの深さｄ１と同様の深さにすると、利用者が、小物を取り出すことが容易ではなく、また、小物を取り出すために利用者の挿入した手が離脱できなくなる虞もあるので、小物収納部３ｂ，３ｃの深さｄ２，ｄ３は、利用者が小物を容易に取り出せる深さであり、かつ、ベッドを背上げした際に小物が位置ずれしたり、ベッドからずれ落ちすることを確実に防止するために十分な深さに形成されている。したがって、小物収納部３ｂ，３ｃの深さｄ２，ｄ３は、枕収納部３ａの深さｄ１よりも浅く形成されている。なお、小物収納部３ｂの深さｄ２と、小物収納部ｄ３の深さｄ３とを、異なる深さにしてもよい。
【００２９】
本実施形態においては、上述したように、矩形状の枕収納部３ａの左右端縁部と下端縁部は、枕保持具本体２に縫合されている。また、矩形状の小物収納部３ｂ，３ｃそれぞれの左右端縁部と下端縁部は、枕保持具本体２に縫合されている。図１〜図４には、枕収納部３ａ、小物収納部３ｂ、３ｃと、枕保持具本体２との縫い目を一点鎖線で示している。仮に、枕収納部３ａ及び小物収納部３ｂ，３ｃと、枕保持具本体２との接続手段を、「縫合」に代えて、面ファスナーやホックのような着脱が容易にできる手段を使用した場合には、利用者の動き、ベッドの繰り返しの背上げ使用、枕保持具の繰り返しのクリーニング等により、面ファスナーやホックが枕保持具から離脱してしまう虞がある。本実施形態では、枕保持具１の構成部品の接続は、上記の、枕収納部３ａ、小物収納部３ｂ，３ｃを含め、全て縫合でなされているので、利用者の動き、ベッドの繰り返しの背上げ使用、枕保持具の繰り返しのクリーニング等によって部品同士が離脱する虞はない。なお、構成部品それぞれの縫合される端縁部は、実際には、縫い代始末がなされており、また、折り返して重ね縫いや返し縫い等、補強のための縫合がなされているが、図１〜図４には、示していない。また、補強のためにベース部２ａ裏面に当て布をして縫合されてもよい。
【００３０】
図１、及び、図２に示すように、枕保持具本体２の裏面の四隅端部には、連結紐４ａ，４ｂ，４ｃ，４ｄから構成された連結手段４が設けられている。連結紐４ａ，４ｂ，４ｃ，４ｄは、同一形状（同一幅、同一長）に形成され、それぞれの一端部が、枕保持具本体２の四隅端部に縫合されている。枕保持具本体２の左側に設けられた、連結紐４ａと連結４ｂとが対応し、枕保持具本体２の右側に設けられた、連結紐４ｃと連結４ｄとが対応しており、枕保持具１が、ベッドに被装された際に、連結紐４ａと連結４ｂとが結ばれ、連結紐４ｃと連結４ｄとが結ばれることで、枕保持具１がベッドに固定される。このように、４個所の連結紐を結ぶだけであるので、看護師や介助・介護者の負担が軽減されるという効果を奏する。
【００３１】
図３、図４は、本実施形態の使用状態を示すものである。図３は、ベッド５に枕保持具１を装着する様子を示し、図４は、枕保持具１を装着したベッド５を背上げさせた状態を示している。図３に示すように、枕保持具本体２のベース部２ａが、ベッド５上部の表面、つまり、利用者が枕を使用するのに好適な位置に被装されている。そして、屈曲部２ｃは、ベッド５の上端部に位置し、この位置で折り返し部２ｂが折り返され、ベッド５下部の裏面に被装される。そして、折り返し部２ｂの左側に設けられている連結紐４ａと、ベース部２ａの左側に設けられている連結紐４ｂとが、ほぼ対向する位置になり、また、折り返し部２ｂの右側に設けられている連結紐４ｃと、ベース部２ａの右側に設けられている連結紐４ｄとが、ほぼ対向する位置になり、その位置で、連結紐４ａと連結紐４ｂとが結ばれ、連結紐４ｃと連結紐４ｄとが結ばれる。これにより、枕保持具１とベッド５が固定される。この状態で、枕６が、枕収納部３ａに挿入して収納され、ポケットティッシュ７が小物収納部３ｂに挿入して収納され、眼鏡８が小物収納部３ｃに挿入して収納されている。収納された枕６、小物（ポケットティッシュ７、眼鏡８）は、十分に保持されている。
【００３２】
図４に示すように、リクライニング式ベッド５は、上述したように周知のものであって、基体となるフレーム５ａ上に床板５ｂが設けられ、床板５ｂ上にマットレス５ｃが設けられ、マットレス５ｃ上に掛布団５ｄが被装されている。マットレスに５ｃには、シーツ（不図示）が被装されている。シーツのマットレス幅方向の余剰部分は、折り返されてマットレス５ｃと床板５ｂとの間に挿入されている。さらに、マットレス５ｃの上に敷布団、毛布等が載置された構成であってもよい。ベッド５は、リクライニング式であり、床板５の下面側には、背上げ用の駆動手段（不図示）が設けられており、利用者の上半身（背部）に対応する床板５ｂの一部分が、所定の角度に背上げ可能に構成されている。利用者の上半身部の背上げに加え、下半身部（脚部）に対応する床板５ｂの部分が膝上げ可能に構成されていてもよい。
【００３３】
ベッド５には、枕保持具１が被装されており、枕保持具１の枕収納部３ａ、小物収納部３ｂ，３ｃには、それぞれ、枕６、ポケットティッシュ７、眼鏡８等の小物が収納されているが、上述したように、枕保持具１の枕収納部３ａ、小物収納部３ｂ，３ｃ、それぞれが、左右端縁部及び下端縁部を枕保持具本体２（ベース部２ａ）に縫合され、上端縁部のみ開口された袋形状の構成にすることにより、利用者の頭部方向から、枕６を枕収納部３ａに挿入して収納することができ、かつ、利用者の頭部方向から、リモコン、ポケットティッシュ、眼鏡、書籍等の小物等を小物収納部３ｂ，３ｃに挿入して収納することができ、収納された枕、小物は十分に保持されているので、ベッドを背上げしても、枕、小物等が、位置ずれしたり、ベッドからずれ落ちすることを確実に防止することができる。なお、本実施形態では、枕収納部及び小物を保持する枕保持具を例にとって説明したが、枕収納部のみを保持するように構成してもよい。
【００３４】
図５、図６は、本実施形態の枕保持具１の要部拡大図を示し、図５は、枕収納部２の左上隅部の縫合の状態を示し、図６は、枕収納部２の左下隅部、及び、小物収納部３ｂの右下隅部の縫合の状態を示している。図５、図６は、縫合の一例にすぎず、特に図示したような縫合に限定されない。
【符号の説明】
【００３５】
１    枕保持具
２    枕保持具本体
２ａ  ベース部
２ｂ  折り返し部
２ｃ  屈曲部
３    収納部
３ａ  枕収納部
３ｂ，３ｃ  小物収納部
４    連結手段
４ａ，４ｂ，４ｃ，４ｄ  連結紐
５    リクライニング式ベッド（ベッド）
５ａ  フレーム
６    枕
７    ポケットティッシュ
８    眼鏡
【図１】
0003203504.tif 000003
【図２】
0003203504.tif 000004
【図３】
0003203504.tif 000005
【図４】
0003203504.tif 000006
【図５】
0003203504.tif 000007
【図６】
0003203504.tif 000008